(57)【要約】【課題】 曲げ剛性の方向性を低減し余長の収納作業性を備えた光ファイバテープ心線、光ファイバケーブル及び光ファイバ接続方法を提供する。【解決手段】光ファイバテープ心線１０は、３心以上の光ファイバ心線１７〜２０を２段に配列して全周を被覆した光ファイバテープ心線であって、両端の光ファイバ心線１７、２０の中心を結ぶ中心軸線Ａ０上に、その他の光ファイバ心線１８、１９の中心が無いように光ファイバ心線１７〜２０を配置した。また、光ファイバ心線１７、１８、１９及び１８、１９、２０に囲まれた部分に空隙２１を有する。【選択図】図１
2011232375.tif 000002
【特許請求の範囲】
【請求項１】
３心以上の光ファイバ心線を２段に配列して全周を被覆した光ファイバテープ心線であって、
両端の前記光ファイバ心線の中心を結ぶ中心軸線上に、その他の前記光ファイバ心線の中心が無いように前記光ファイバ心線を配置し、前記光ファイバ心線間に囲まれた部分に空隙を形成したことを特徴とする光ファイバテープ心線。
【請求項２】
前記光ファイバ心線間の被覆部分に窪みを有することを特徴とする請求項１に記載した光ファイバテープ心線。
【請求項３】
請求項１または２に記載の光ファイバテープ心線をスペーサ内に複数本集合させ、その外周に押さえ巻きを巻き、熱可塑性樹脂により外被を施し、該外被内にテンションメンバを複数本配置したことを特徴とする光ファイバケーブル。
【請求項４】
請求項１〜３のいずれかに記載の光ファイバテープ心線の接続端部を、融着接続機の光ファイバホルダの光ファイバ整列溝上に配置し、前記ホルダの上部押さえ蓋で押しつけることにより複数の前記光ファイバ心線の中心を一平面内に並列状に整列させてから、一括融着接続することを特徴とする光ファイバ接続方法。
【発明の詳細な説明】
【技術分野】
【０００１】
本発明は、複数の単心光ファイバを集合させた光ファイバテープ心線とその光ファイバの接続方法、及び光ファイバテープ心線をさらに多数集合させた多心光ファイバケーブルに関する。
【背景技術】
【０００２】
従来の多心光ファイバケーブルの一例として、図１０に示した多心光ファイバケーブル２００は、４心の光ファイバ２０１からなる複数の光ファイバテープ心線２０２を、中心にテンションメンバ２０４を有するスペーサ２０３のスペーサ溝２０５内に整列積層させ、その外周に押さえテープ２０６を巻き、さらにその外周に外被２０７が形成されている（例えば、特許文献１参照）。
【先行技術文献】
【特許文献】
【０００３】
【特許文献１】特開平１１−６９４３号公報
【発明の概要】
【発明が解決しようとする課題】
【０００４】
しかしながら、上記特許文献１に開示された従来の多心光ファイバケーブル２００の光ファイバテープ心線では、一括で複数本の光ファイバを接続可能であるが、幅を持ったテープ心線をクロージャ等の余長収納部に収納する際には、曲げ剛性の方向性により、曲げ方向をきちんと整列させてから収納する必要が有り、収納作業に時間を要するという課題があった。
【０００５】
本発明の目的は、前述した課題を解決するためになされたものであり、一括で接続できるテープ心線のメリットと、テープ幅を極力狭めることで曲げ剛性の方向性を低減し余長の収納作業性を兼ね備えた光ファイバテープ心線、光ファイバケーブル及び光ファイバ接続方法を提供することにある。
【課題を解決するための手段】
【０００６】
上記課題を解決することができる本発明に係る光ファイバテープ心線は、３心以上の光ファイバ心線を２段に配列して全周を被覆した光ファイバテープ心線であって、両端の前記光ファイバ心線の中心を結ぶ中心軸線上に、その他の前記光ファイバ心線の中心が無いように前記光ファイバ心線を配置し、前記光ファイバ心線間に囲まれた部分に空隙を形成したことを特徴としている。
【０００７】
このように構成された光ファイバテープ心線によれば、両端の光ファイバ心線を結ぶ中心軸線上からずれた位置にその他の光ファイバ心線の中心が配置されている。これにより、テープ心線のテープ幅を狭めることができるので、テープ心線がより狭い空間で回転することができ、ケーブル内で高密度にテープ心線を収納することができる。
また、光ファイバ心線間に囲まれた部分に空隙を有することで、曲げや側圧等の外圧が付与された場合、光ファイバ心線が移動することができるため、外圧を緩和することができる。したがって、一括で接続できるテープ心線のメリットと、曲げ剛性の方向性を低減して余長収納作業が容易なメリットとを兼ね備えることができる。
【０００８】
また、本発明に係る光ファイバテープ心線においては、前記光ファイバ心線間の被覆部分に窪みを有することが好ましい。
【０００９】
このように構成された光ファイバテープ心線によれば、側圧を印加するだけで窪みを起点に簡単に単心分離することができる。これにより、光ファイバホルダ内にテープ心線をセットして、複数の光ファイバ心線の中心を一平面内に並列状に整列させてから、融着接続機により一括融着接続を容易に行うことができる。
【００１０】
上記課題を解決することができる本発明に係る光ファイバケーブルは、上記光ファイバテープ心線をスペーサ内に複数本集合させ、その外周に押さえ巻きを巻き、熱可塑性樹脂により外被を施し、該外被内にテンションメンバを複数本配置したことを特徴としている。
【００１１】
このように構成された光ファイバケーブルによれば、従来の並列の光ファイバテープ心線を用いたケーブルと同様の高密度でかつ安定した歪/伝送損失を維持することができる。また、光ファイバ接続時に、一括融着接続を効率良く行うことができる。
【００１２】
上記課題を解決することができる本発明に係る光ファイバ接続方法は、上記光ファイバテープ心線の接続端部を、融着接続機の光ファイバホルダの光ファイバ整列溝上に配置し、前記ホルダの上部押さえ蓋で押しつけることにより複数の前記光ファイバ心線の中心を一平面内に並列状に整列させてから、一括融着接続することを特徴としている。
【００１３】
このように構成された光ファイバ接続方法によれば、複数の光ファイバがまとまった光ファイバテープ心線の接続端部を光ファイバホルダの光ファイバ整列溝上に配置して上部押さえ蓋で押しつける。これにより、複数の光ファイバ心線の中心を一平面内に並列状に整列させることができるので、融着接続機による接続作業が容易となり作業時間を短縮することができる。
【発明の効果】
【００１４】
本発明に係る光ファイバテープ心線、光ファイバケーブル及び光ファイバ接続方法によれば、一括で接続できるテープ心線のメリットと、曲げ剛性の方向性を低減して余長収納作業が容易なメリットとを兼ね備えている。したがって、接続回数を低減できる略テープ形状の心線形態と歪を低減する構造とを両立することができ、接続作業の大幅な短縮を図ることができる。
【図面の簡単な説明】
【００１５】
【図１】本発明の第１実施形態に係る光ファイバテープ心線の断面図である。
【図２】図１の光ファイバテープ心線を適用した光ファイバ接続方法を示す概略図であり、（Ａ）は第１段階の断面図、（Ｂ）は第２段階の断面図である。
【図３】図１の光ファイバテープ心線の光ファイバケーブル内での動きを説明する断面図である。
【図４】図１の光ファイバテープ心線を適用した光ファイバケーブルの断面図である。
【図５】本発明の第２実施形態に係る光ファイバテープ心線の断面図である。
【図６】本発明の第３実施形態に係る光ファイバテープ心線の断面図である。
【図７】本発明の第４実施形態に係る光ファイバテープ心線の断面図である。
【図８】本発明の第５実施形態に係る光ファイバテープ心線の断面図である。
【図９】本発明の第６実施形態に係る光ファイバテープ心線の断面図である。
【図１０】従来の光ファイバテープ心線の断面図である。
【発明を実施するための形態】
【００１６】
以下、本発明の複数の実施形態に係る光ファイバテープ心線、光ファイバケーブル及び光ファイバ接続方法について図面を参照して説明する。
【００１７】
（第１実施形態）
図１に示すように、本発明の第１実施形態である光ファイバテープ心線１０は、第１光ファイバ心線１７、第２光ファイバ心線１８、第３光ファイバ心線１９及び第４光ファイバ心線２０の上下２段に配列した４心からなる断面略ひし形状のテープ心線である。各光ファイバ心線１７〜２０は、中心にコアとクラッドからなるガラスファイバ１１〜１４を有し、例えばガラスファイバ１１の外周を樹脂製の保護被覆１５により被覆した構成になっている。そして、各光ファイバ心線１７〜２０は、隣り合う光ファイバ心線間は直接当接しており、その外周を外被１６によって一括被覆されている。
【００１８】
光ファイバテープ心線１０は、両端の第１光ファイバ心線１７の中心Ａ１と第４光ファイバ心線２０の中心Ａ４とを結ぶ中心軸線Ａ０上に、その他の第２光ファイバ心線１８の中心Ａ２及び第３光ファイバ心線１９の中心Ａ３が無いように各光ファイバ心線１７〜２０がひし形状に配置されている。
【００１９】
光ファイバテープ心線１０は、第１光ファイバ心線１７と第２光ファイバ心線１８と第３光ファイバ心線１９とで囲まれた中心部分、及び第２光ファイバ心線１８と第３光ファイバ心線１９と第４光ファイバ心線２０とで囲まれた中心部分の２箇所に空隙２１を有している。
なお、光ファイバテープ心線１０は、保護被覆１５の外周に厚さ１μｍから１０μｍ程度の着色層が形成されていても良い。また、各ガラスファイバ１１〜１４の周囲に薄膜状のカーボン層がコーティングされていても良い。
【００２０】
外被１６の材質としては、ＵＶアクリレート樹脂を用いることができる。ＵＶアクリレート樹脂のヤング率は０．５〜４５ＭＰａの範囲であり、伸びは７５〜２５０％の範囲にあることが望ましい。これにより、光ファイバテープ心線１０の可撓性を確保することができる。また、伸びの大きいＵＶアクリレート樹脂を使用することで、光ファイバテープ心線１０を曲げた際の破断を防止することができる。
【００２１】
次に、光ファイバテープ心線１０を適用した光ファイバ接続方法について説明する。
図２（Ａ）に示すように、光ファイバテープ心線１０の接続には融着接続機が使用される。融着機３０にセットされる光ファイバホルダ３０は、基台３１の上面に光ファイバ整列溝３２を形成しており、光ファイバ整列溝３２を閉塞するように基台３１の端部にヒンジ３３により連結された上部押え蓋３４を備えている。
【００２２】
光ファイバ接続工程の第１段階では、図２（Ａ）に示すように、光ファイバテープ心線１０を光ファイバホルダ３０の光ファイバ整列溝３２内に配置する。このとき、光ファイバテープ心線１０は、光ファイバ整列溝３２よりも十分大きい高さ寸法を有しているため、光ファイバ整列溝３２から突出している。
【００２３】
光ファイバ接続工程の第２段階では、図２（Ｂ）に示すように、上部押さえ蓋３４を閉塞方向に回動することで、突出した光ファイバテープ心線１０の上部を押圧しながら光ファイバ整列溝３２を閉塞する。これにより、光ファイバテープ心線１０は潰されて、各光ファイバ心線１７〜２０は一平面内に並列状に整列する。なお、外被１６は、潰されたときに変形されても良いし、切断されても良い。
【００２４】
このとき、光ファイバテープ心線１０は、２箇所に空隙２１を有しているので、曲げや側圧等の外圧が付与された場合、光ファイバ心線１７〜２０が移動することができるため外圧を緩和することができる。また、この空隙２１は樹脂等が充填されていない空間なので、上部押さえ蓋３４の押圧により弾性反発力等の反力を生じることなく圧縮される。これにより、光ファイバテープ心線１０は、各光ファイバ心線１７〜２０を大きな力を必要とせずに容易に単心分離できる。
【００２５】
次に、光ファイバホルダ３０の先端部側から突き出た光ファイバテープ心線１０の各保護被覆１５及び外被１６を所定箇所から被覆除去具を用いて除去し、先端部側のガラスファイバ１１〜１４を露出させる。その後、露出されたガラスファイバ１１〜１４を所定長さに切断して接続端部を揃える。これらの被覆除去及びファイバカットは、光ファイバテープ心線１０がホルダ先端部で、所定ピッチで整列保持されているため、効率良く作業を行うことができる。
【００２６】
次に、光ファイバテープ心線１０を、不図示の相手側光ファイバテープ心線の接続端部に突き合わせて保持させた状態で一括融着接続を行う。
【００２７】
図３に示すように、光ファイバテープ心線１０は、従来のフラットなテープ心線よりテープ幅が狭いので、従来のテープ心線より狭い可動空間（二点鎖線円）内で回転や移動をすることができる。したがって、光ファイバケーブル１のスペーサ溝４内で光ファイバテープ心線１０を高密度に収納することができる（図４参照）。また、曲げ剛性の方向性が低減されているので、余長収納作業時にテープ心線を丁寧に整列させる必要がなくなり、余長収納作業の時間短縮を図ることができる。
【００２８】
図４に示すように、上記光ファイバテープ心線１０を複数本、例えば、２本の光ファイバテープ心線１０を中心にテンションメンバ３を有するスペーサ２のスペーサ溝４内に集合させてから、その外周上に押さえ巻き５を巻く。そして、さらに外周に熱可塑性樹脂よりなる外被６を施して光ファイバケーブル１を形成する。
【００２９】
上述したように第１実施形態の光ファイバテープ心線１０によれば、３心以上の光ファイバ心線１７〜２０を２段に配列して全周を被覆した光ファイバテープ心線であって、両端の光ファイバ心線１７、２０の中心を結ぶ中心軸線Ａ０上に、その他の光ファイバ心線１８、１９の中心が無いように光ファイバ心線１７〜２０を配置した。これにより、光ファイバテープ心線１０のテープ幅を狭めることができるので、曲げ剛性の方向性を低減することができる。
【００３０】
また、光ファイバ心線１７、１８、１９及び１８、１９、２０に囲まれた部分に空隙２１を有することで、曲げや側圧等の外圧が付与された場合、光ファイバ心線１７〜２０がスペーサ溝内部で移動することができるため、外圧を緩和することができる。
したがって、一括で接続できるテープ心線のメリットと、曲げ剛性の方向性を低減して余長収納作業を容易にしたメリットを兼ね備えることができる。
【００３１】
また、第１実施形態の光ファイバケーブル１によれば、光ファイバテープ心線１０をテンションメンバ３を有するスペーサ２のスペーサ溝４内に複数本集合させ、その外周に押さえ巻き５を巻き、熱可塑性樹脂により外被６を施している。これにより、従来のスペーサ型ケーブルと同等の安定した歪/伝送損失を維持することができる。また、光ファイバ接続時に、一括融着接続を効率良く行うことができる。
【００３２】
また、第１実施形態の光ファイバ接続方法によれば、複数の光ファイバ心線１７〜２０がまとまった光ファイバテープ心線１０の接続端部を、融着接続機の光ファイバホルダ３０の光ファイバ整列溝３２上に配置し、該ホルダ３０の上部押さえ蓋３４で押しつけることにより複数の光ファイバ心線１７〜２０の中心を一平面内に並列状に整列させてから、一括融着接続する。これにより、融着接続機による接続作業が容易となり単心の光ファイバよりも作業時間を短縮することができる。
【００３３】
（第２実施形態）
次に、本発明の第２実施形態に係る光ファイバテープ心線について説明する。なお、以下の各実施形態において、上述した第１実施形態と同一な構成要素については、同一又は類似符号を付することによって構成及び作用効果の説明を省略する。
【００３４】
図５に示すように、本発明の第２実施形態である光ファイバテープ心線４０は、第１光ファイバ心線５１、第２光ファイバ心線５２、第３光ファイバ心線５３、第４光ファイバ心線５４、第５光ファイバ心線５５、第６光ファイバ心線５６、第７光ファイバ心線５７及び第８光ファイバ心線５８の上下２段に配列した８心からなる断面略ひし形状のテープ心線である。
【００３５】
光ファイバテープ心線４０は、両端の第１光ファイバ心線５１の中心Ｂ１と第８光ファイバ心線５８の中心Ｂ８とを結ぶ中心軸線Ｂ０上に、その他の第２光ファイバ心線５２の中心Ｂ２、第３光ファイバ心線５３の中心Ｂ３、第４光ファイバ心線５４の中心Ｂ４、第５光ファイバ心線５５の中心Ｂ５、第６光ファイバ心線５６の中心Ｂ６、第７光ファイバ心線５７の中心Ｂ７が無いように各光ファイバ心線５１〜５８がひし形状に配置されている。
【００３６】
各光ファイバ心線５１〜５８は、中心にコアとクラッドからなるガラスファイバ４１〜４８を有し、例えばガラスファイバ４１の外周を樹脂製の保護被覆４９により被覆した構成になっている。そして、各光ファイバ心線５１〜５８は、隣り合う光ファイバ心線間は直接当接しており、その外周を外被５０によって一括被覆されている。
【００３７】
光ファイバテープ心線４０は、第１光ファイバ心線５１と第２光ファイバ心線５２と第３光ファイバ心線５３とで囲まれた中心部分、第２光ファイバ心線５２と第３光ファイバ心線５３と第４光ファイバ心線５４とで囲まれた中心部分、及び第３光ファイバ心線５３と第４光ファイバ心線５４と第５光ファイバ心線５５とで囲まれた中心部分に空隙５９を有している。同様に、第４光ファイバ心線５４と第５光ファイバ心線５５と第６光ファイバ心線５６とで囲まれた中心部分、第５光ファイバ心線５５と第６光ファイバ心線５６と第７光ファイバ心線５７とで囲まれた中心部分、及び第６光ファイバ心線５６と第７光ファイバ心線５７と第８光ファイバ心線５８とで囲まれた中心部分に空隙５９を有している。したがって、光ファイバテープ心線４０は、計６箇所に空隙５９を有している。
【００３８】
上述したように第２実施形態の光ファイバテープ心線４０によれば、両端の光ファイバ心線５１、５８の中心Ｂ１、Ｂ８を結ぶ中心軸線Ｂ０上に、その他の光ファイバ心線５２〜５７の中心Ｂ２〜Ｂ７が無いように光ファイバ心線５１〜５８を配置した。これにより、光ファイバテープ心線４０のテープ幅を狭めることができるので、曲げ剛性の方向性を低減することができる。
また、光ファイバ心線５１〜５８に囲まれた６箇所に空隙５９を有することで、曲げや側圧等の外圧が付与された場合、光ファイバ心線５１〜５８がスペーサ溝４内部で移動することができるため、外圧を緩和することができる。
【００３９】
（第３実施形態）
次に、本発明の第３実施形態に係る光ファイバテープ心線について説明する。
図６に示すように、本発明の第３実施形態である光ファイバテープ心線６０は、第１光ファイバ心線６７、第２光ファイバ心線６８、第３光ファイバ心線６９及び第４光ファイバ心線７０の上下２段に配列した４心からなる断面略ひし形状のテープ心線である。
【００４０】
光ファイバテープ心線６０は、両端の第１光ファイバ心線６７の中心Ｃ１と第４光ファイバ心線７０の中心Ｃ４とを結ぶ中心軸線Ｃ０上に、その他の第２光ファイバ心線６８の中心Ｃ２及び第３光ファイバ心線６９の中心Ｃ３が無いように各光ファイバ心線６７〜７０をひし形状に配置した。また、光ファイバテープ心線６０は、第１光ファイバ心線６７と第２光ファイバ心線６８と第３光ファイバ心線６９とで囲まれた中心部分、及び第２光ファイバ心線６８と第３光ファイバ心線６９と第４光ファイバ心線７０とで囲まれた中心部分の２箇所に空隙７１を有している。
【００４１】
光ファイバテープ心線６０は、上記第１実施形態の光ファイバテープ心線１０と異なり、テープ心線６０の全周が外被６６によって被われていない。具体的には、光ファイバテープ心線６０の略ひし形状の角部分に相当する各光ファイバ心線６７〜７０の保護被覆６５の一部分が露出している。これにより、光ファイバホルダ３０の上部押さえ蓋３４により押圧して、各光ファイバ心線６７〜７０を一平面内に並列状に整列させるとき、保護被覆６５の一部分が露出していて外被６６がないので、並列状態に潰される際に抵抗が少なく容易に整列させることができる。
【００４２】
上述したように第３実施形態の光ファイバテープ心線６０によれば、第１実施形態と同様の作用効果を奏する。加えて、各光ファイバ心線６７〜７０間に形成された２箇所の空隙７１と共に、各光ファイバ心線６７〜７０の全周が外被６６に被われておらず、保護被覆６５の一部分が露出しているので、光ファイバ心線６７〜７０を単心分離し易く、光ファイバホルダ３０により各光ファイバ心線６７〜７０を一平面内に容易に整列させることができる。
【００４３】
（第４実施形態）
次に、本発明の第４実施形態に係る光ファイバテープ心線について説明する。
図７に示すように、本発明の第４実施形態である光ファイバテープ心線８０は、第１光ファイバ心線９１、第２光ファイバ心線９２、第３光ファイバ心線９３、第４光ファイバ心線９４、第５光ファイバ心線９５、第６光ファイバ心線９６、第７光ファイバ心線９７及び第８光ファイバ心線９８の上下２段に配列した８心からなる断面略ひし形状のテープ心線である。
【００４４】
光ファイバテープ心線８０は、両端の第１光ファイバ心線９１の中心Ｄ１と第８光ファイバ心線９８の中心Ｄ８とを結ぶ中心軸線Ｄ０上に、その他の第２光ファイバ心線９２から第７光ファイバ心線９７の中心Ｄ２〜Ｄ７が無いように各光ファイバ心線９１〜９８がひし形状に配置されている。また、光ファイバテープ心線８０は、各光ファイバ心線９１〜９８間の計６箇所に空隙９９を有している。
【００４５】
光ファイバテープ心線８０は、上記第２実施形態の光ファイバテープ心線４０と異なり、テープ心線８０の全周が外被９０によって被われてなく、テープ心線８０の略ひし形状の角部分に相当する第１光ファイバ心線９１、第２光ファイバ心線９２、第７光ファイバ心線９７及び第８光ファイバ心線９８の保護被覆８９の一部分が露出している。これにより、光ファイバホルダ３０の上部押さえ蓋３４により押圧して、各光ファイバ心線９１〜９８を一平面内に並列状に整列させるとき、保護被覆８９の一部分が露出していて外被９０がないので、並列状態に潰される際に抵抗が少なく容易に整列させることができる。
【００４６】
上述したように第４実施形態の光ファイバテープ心線８０によれば、第２実施形態と同様の作用効果を奏する。加えて、第３実施形態と同様に、各光ファイバ心線９１〜９８間に形成された６箇所の空隙９９と共に、各光ファイバ心線９１〜９８の外周の一部が外被９０に被われてないので、光ファイバ心線９１〜９８を単心分離し易く、光ファイバホルダ３０により各光ファイバ心線９１〜９８を一平面内に容易に整列させることができる。
【００４７】
（第５実施形態）
次に、本発明の第５実施形態に係る光ファイバテープ心線について説明する。
図８に示すように、本発明の第５実施形態である光ファイバテープ心線１１０は、第１光ファイバ心線１１８、第２光ファイバ心線１１９、第３光ファイバ心線１２０及び第４光ファイバ心線１２１の上下２段に配列した４心からなる断面略ひし形状のテープ心線である。
【００４８】
光ファイバテープ心線１１０は、両端の第１光ファイバ心線１１８の中心Ｅ１と第４光ファイバ心線１２１の中心Ｅ４とを結ぶ中心軸線Ｅ０上に、その他の第２光ファイバ心線１１９の中心Ｅ２及び第３光ファイバ心線１２０の中心Ｅ３が無いように各光ファイバ心線１１８〜１２１を千鳥状に配置した。また、光ファイバテープ心線１１０は、第１光ファイバ心線１１８から第４光ファイバ心線１２１間に囲まれた２箇所に空隙１２２を有している。
【００４９】
光ファイバテープ心線１１０は、上記第１実施形態の光ファイバテープ心線１０と異なり、テープ心線１１０の全周が均一厚さの外被１１７によって被われている。具体的には、光ファイバテープ心線１１０の外周の隣接する光ファイバ心線１１８〜１２１間の計４箇所に窪み１１６がテープ心線の軸線方向に沿って形成されている。これにより、光ファイバホルダ３０の上部押さえ蓋３４により押圧して、各光ファイバ心線１１８〜１２１を一平面内に並列状に整列させるとき、外被１１７が全周にわたって均一な肉薄なので、並列状態に潰される際に抵抗が少なく容易に整列させることができる。
【００５０】
上述したように第５実施形態の光ファイバテープ心線１１０によれば、第１実施形態と同様の作用効果を奏する。加えて、各光ファイバ心線１１８〜１２１間に形成された２箇所の空隙１２２と共に、各光ファイバ心線１１８〜１２１の全周が均一な肉薄の外被１１７で被われているので、光ファイバ心線１１８〜１２１が窪み１１６を起点に単心分離し易く、光ファイバホルダ３０により各光ファイバ心線１１８〜１２１を一平面内に容易に整列させることができる。
【００５１】
（第６実施形態）
次に、本発明の第６実施形態に係る光ファイバテープ心線について説明する。
図９に示すように、本発明の第６実施形態である光ファイバテープ心線１３０は、第１光ファイバ心線１４２、第２光ファイバ心線１４３、第３光ファイバ心線１４４、第４光ファイバ心線１４５、第５光ファイバ心線１４６、第６光ファイバ心線１４７、第７光ファイバ心線１４８及び第８光ファイバ心線１４９の上下２段に配列した８心からなる断面略ひし形状のテープ心線である。
【００５２】
光ファイバテープ心線１３０は、両端の第１光ファイバ心線１４２の中心Ｆ１と第８光ファイバ心線１４９の中心Ｆ８とを結ぶ中心軸線Ｆ０上に、その他の第２光ファイバ心線１４３から第７光ファイバ心線１４８の中心Ｆ２〜Ｆ７が無いように各光ファイバ心線１４２〜１４９が配置されている。また、光ファイバテープ心線１３０は、各光ファイバ心線１４２〜１４９間の計６箇所に空隙１５０を有している。
【００５３】
光ファイバテープ心線１３０は、上記第２実施形態の光ファイバテープ心線４０と異なり、テープ心線１３０の全周が均一厚さの外被１４１によって被われている。具体的には、光ファイバテープ心線１３０の外周の隣接する光ファイバ心線１４２〜１４９間の計８箇所に窪み１４０がテープ心線の軸線方向に沿って形成されている。これにより、光ファイバホルダ３０の上部押さえ蓋３４により押圧して、各光ファイバ心線１４２〜１４９を一平面内に並列状に整列させるとき、外被１４１が全周にわたって均一な肉薄なので、並列状態に潰される際に抵抗が少なく容易に整列させることができる。
【００５４】
上述したように第６実施形態の光ファイバテープ心線１３０によれば、第２実施形態と同様の作用効果を奏する。加えて、第５実施形態と同様に、各光ファイバ心線１４２〜１４９間に形成された６箇所の空隙１５０と共に、各光ファイバ心線１４２〜１４９の全周が均一な肉薄の外被１４１で被われているので、光ファイバ心線１４２〜１４９が窪み１４０を起点に単心分離し易く、光ファイバホルダ３０により各光ファイバ心線１４２〜１４９を一平面内に容易に整列させることができる。
【００５５】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００５６】
１  光ファイバケーブル
３、１６、５０、６６、９０、１１７、１４１  外被
１０、４０、６０、８０、１１０、１３０  光ファイバテープ心線
１５、４９、６５、８９、１１５、１３９  保護被覆
１７、５１、６７、９１、１１８、１４２  第１光ファイバ心線
１８、５２、６８、９２、１１９、１４３  第２光ファイバ心線
１９、５３、６９、９３、１２０、１４４  第３光ファイバ心線
２０、５４、７０、９４、１２１、１４５  第４光ファイバ心線
２１、５９、７１、９９、１２２、１５０  空隙
３０  光ファイバホルダ
３２  光ファイバ整列溝
３４  上部押さえ蓋
５５、９５、１４６  第５光ファイバ心線
５６、９６、１４７  第６光ファイバ心線
５７、９７、１４８  第７光ファイバ心線
５８、９８、１４９  第８光ファイバ心線
１１６、１４０  窪み
【図１】
2011232375.tif 000003
【図２】
2011232375.tif 000004
【図３】
2011232375.tif 000005
【図４】
2011232375.tif 000006
【図５】
2011232375.tif 000007
【図６】
2011232375.tif 000008
【図７】
2011232375.tif 000009
【図８】
2011232375.tif 000010
【図９】
2011232375.tif 000011
【図１０】
2011232375.tif 000012